(57)【要約】【課題】  高輝度のＬＥＤを使用しなくても視認性を高めることができ、しかも線光源と同様な外観を、遮光部材を使用せずに得る。【解決手段】  複数のＬＥＤ２８を一列に連続的に配置し、これらＬＥＤ２８の前面に透明のＬＥＤカバー３０が設けられている。ＬＥＤカバー３０は、ＬＥＤ２８の配置方向に伸び、この配置方向に垂直に円弧状に湾曲している。このカバー３０は、光拡散材を含んでなく、前記円弧状に沿って凹凸面３２が形成されている。この凹凸面３２は、前記配置方向に延設されている。【選択図】        図４
2010175906.tif 000002
【特許請求の範囲】
【請求項１】
複数の点光源体を一列に連続的に配置した点光源体群と、
前記各点光源体の発光側の前面に設けられ、前記各点光源体の配置方向に伸び、この配置方向に垂直に円弧状に湾曲した透明のカバーとを、
具備し、前記カバーは、光拡散材が無添加であり、前記円弧状に沿って凹凸面が形成され、この凹凸面は、前記配置方向に延設されている調律装置の表示器。
【請求項２】
請求項１記載の調律装置の表示器において、前記カバーの前記凹凸面の形状は、少なくとも前記円弧状の頂上部から所定の範囲内が、前記カバーの中心から放射状に伸びる複数の半径線が頂点を通る複数の二等辺三角形によって形成されている調律装置の表示器。
【請求項３】
請求項１記載の調律装置の表示器において、前記カバーの前記凹凸面の形状は、少なくとも前記円弧状の周縁部から所定の範囲が、ほぼ水平およびほぼ垂直な辺を持つ複数の三角形によって形成されている調律装置の表示器。
【請求項４】
請求項３記載の調律装置の表示器において、前記カバーの前記凹凸面の形状は、前記円弧状の周縁部に近い前記ほぼ水平な辺の長さが、前記ほぼ垂直な辺の長さに比べて小さくなる調律装置の表示器。
【請求項５】
請求項１記載の調律装置の表示器において、前記カバーの前記凹凸面と対向する面は、円弧状の断面を有する調律装置の表示器。
【請求項６】
請求項１乃至５いずれか記載の調律装置の表示器において、前記各点光源体は、前記カバーの配置方向に垂直に湾曲した円弧状の中心上に位置する調律装置の表示器。
【発明の詳細な説明】
【技術分野】
【０００１】
本発明は、調律装置の表示器に関し、特に、光学式でありながら機械式メータのような表示が行えるものに関する。
【背景技術】
【０００２】
従来、調律装置の表示には、特許文献１に開示されているようなものがある。特許文献１の図３及び図４では、複数のインジケータを左右に一列に配置してチューニングガイドが構成され、入力された楽音信号の音高が基準音高よりも高いほど中央のインジケータよりも右側に遠ざかった位置にあるインジケータが点灯し、入力された楽音信号の音高が基準音高よりも低いほど中央のインジケータよりも左側に遠ざかった位置にあるインジケータが点灯する。
【先行技術文献】
【特許文献】
【０００３】
【特許文献１】特開２００２−３２３８９３号公報
【発明の概要】
【発明が解決しようとする課題】
【０００４】
特許文献１の技術によれば、機械式メータを使用しなくても、機械式メータと同様な表示を行うことができるが、インジケータとしてＬＥＤを使用する場合、各ＬＥＤに取り付けられているカバーに光を拡散させるための拡散材が添加されていると、ＬＥＤに照明や太陽光が当たる明るい場所では、視認性が悪くなる。そこで、高輝度のＬＥＤがインジケータとして使用される。また、明るい場所での視認性を高めるために、拡散材を使用していないカバーをＬＥＤに用いている場合、ＬＥＤからの光が点光源として見え、機械式メータを模した線光源の表示としての外観性が悪くなっていた。また、連続した線光源表示をＬＥＤによって実現するには、隣接するＬＥＤ間の距離を短くする必要があるが、そのため隣接するＬＥＤ間に遮光部材を配置しないと、光漏れを起こしやすかった。
【０００５】
本発明は、高輝度のＬＥＤを使用しなくても視認性を高めることができ、しかも線光源と同様な外観性を遮光部材を使用せずに得ることができる調律装置の表示器を提供することを目的とする。
【課題を解決するための手段】
【０００６】
本発明の一態様の調律装置の表示器は、複数の点光源体を一列に連続的に配置した点光源体群を有している。点光源体は、一定の間隔をおいて配置することが望ましく、例えばＬＥＤを使用することができる。前記各点光源体の発光側の前面に透明のカバーが設けられている。このカバーは、前記各点光源体の配置方向に伸び、この配置方向に垂直に円弧状に湾曲している。このカバーは、光拡散材が無添加であり、即ち、光拡散材を含んでいない。さらに、このカバーは、前記円弧状に沿って凹凸面が形成され、この凹凸面は、前記配置方向に延設されている。
【０００７】
このように構成された調律装置の表示器では、カバーが光拡散材を含んでいないので、カバーを介して全方向へ光が拡散されることが抑制され、点光源体の配列方向に光が拡散されることが防止され、遮光部材をもうける必要がない。また、カバーに形成されている凹凸面により点光源からの光が点光源の配列方向に垂直な方向に線状になり、点光源体を使用しているにも拘わらず、あたかも線光源による針状の表示としての外観を呈する。
【０００８】
前記カバーの前記凹凸面の形状を、少なくとも前記円弧状の頂上部から所定の範囲内が、前記カバーの中心から放射状に伸びる複数の半径線が頂点を通る複数の二等辺三角形によって形成されているものとすることができる。このように構成すると、円弧状部の頂上部から所定の範囲内では、点光源体からの光は、各二等辺三角形の各辺を半径線にほぼ平行に通過する。従って、点光源からの光はより線状に見える。
【０００９】
あるいは、前記カバーの前記凹凸面の形状を、少なくとも前記円弧状の周縁部から所定の範囲が、ほぼ水平およびほぼ垂直な辺を持つ複数の三角形によって形成することができ
る。このように構成した場合、点光源からの光のうちほぼ水平な辺に向かったものは、ほぼ全反射し、外部に漏れることはない。また、ほぼ垂直な辺に向かった点光源からの光は、ほぼ垂直な辺を通過するが、その際に垂直な辺に近づくように屈折する。その結果、点光源からの光はより線状に見える。
【００１０】
さらに、前記カバーの前記凹凸面の形状は、前記円弧状の周縁部に近いほぼ前記ほぼ水平な辺の長さが、前記ほぼ垂直な辺の長さに比べて小さくすることもできる。このように構成すると、ほぼ水平な辺で全反射される光が少なくなり、ほぼ垂直な辺を通過する光を多くすることができる。その結果、線状に見える光の量を多くすることができる。
【００１１】
上記態様の調律装置の表示器において、前記カバーの前記点光源体側の面は、円弧状の断面を有するものとすることができる。このように構成すると、カバーの内部を中空にすることができ、カバーの軽量化を図ることができる。
【００１２】
また、前記各点光源体は、前記円弧状の中心上に位置することもできる。このように構成すると、光は、円弧状の部分に均等に当たり、カバーを通して見える線状の光の長さが均等になる。
【発明の効果】
【００１３】
以上のように、本発明によれば、点光源体を使用しながら、機械式メータと同様な線状の表示を行うことができ、しかも、線状の表示がにじむことが無く、点光源体を近接して配置しても、いずれの点光源体が発光して線状に見えているのか容易に判別することができる。その上、カバーの他に隣接する点光源体間に遮光部材を設ける必要が無く、構成を簡略化することができる。
【図面の簡単な説明】
【００１４】
【図１】本発明の一実施形態の調律装置の平面図である。
【図２】図１の調律装置の組み立て図である。
【図３】図１の調律装置の表示部の組み立て図である。
【図４】図３の表示部の部分拡大図である。
【図５】図３の表示部に使用するＬＥＤカバーの縦断側面図である。
【図６】図５のＬＥＤカバーにおける光の屈折の説明図である。
【図７】図５のＬＥＤカバーの他の例の正面図、平面図、底面図及び左側面図である。
【発明を実施するための形態】
【００１５】
本発明の一実施形態の調律装置は、電子弦楽器をチューニングするもので、図１及び図２に示すように、横長の本体部２を有し、操作者の足元に置かれ操作者は装置の上側から調律状態を視認するようになっている。その本体部２の上面の正面側に寄った位置には、順にフラットチューニングボタン４、モードボタン６、チューナオン・オフスイッチ８、ピッチボタン１０、ディプレイボタン１２が一列に配置されている。チューナオン・オフスイッチ８のそばには、チューナオン・オフインジケータ１４が設けられている。この本体部２の上面側の背面側に寄った位置に表示部１６が設けられている。
【００１６】
この調律装置では、調律する電子弦楽器を図示していない入力ジャックに接続し、モードボタン６を押してチューニングモードを選択する。チューニングモードとしては、たとえば半音ごとに１２音全部の音程を調律するＣＨＲＯＭＡＴＩＣモード、ギターの弦番号でチューニングするＧＵＩＴＡＲモード、ベースの弦番号でチューニングするＢＡＳＳモード、ギターのＤＲＯＰ  ＤチューニングするＤＲＯＰ  Ｄモード、ギターのＤＡＤＧＡＤチューニングするＤＡＤＧＡＤモードがある。チューナオン・オフスイッチ８を操作して、チューナオンとする。このとき、チューナオン・オフインジケータ１４が点灯する。この状態で、この調律装置に接続した電子弦楽器で単音を発生する。発生した単音に近い弦番号が表示部１６の音名・弦番号インジケータ１８に表示される。正確な音程とのずれが表示部１６のメータ２０と、チューニングガイドインジケータ２２とによって表示される。メータ２０は、電子式のものであるが、機械式の針と同様な線状の表示が音程のずれに応じてなされる。音程が低い場合には、メータ２０の中央よりも左側で線状の表示がなされ、音程が高い場合には、メータ２０の中央よりも右側で線状の表示がなされ、音程が一致している場合には中央に線状の表示がなされる。チューニングガイドインジケータ２２は、音程が低い場合には図１における左側のものが点灯し、音程が高い場合には右側のものが点灯し、音程があっているときには両方が点灯する。この他にも、この調律装置は種々の機能を有するが、本願発明と直接に関連しないので、説明を省略する。
【００１７】
図２は、表示部１６を覆っている上蓋２４と、フラットチューニングボタン４、モードボタン６、ピッチボタン１０、ディプレイボタン１２のボタンカバー部分（図示せず）を取り除いた状態を示す。
表示部１６では、図２に示すように本体部２に上述した音名・弦番号インジケータ１８、メータ２０、チューニングガイドインジケータ２２を配置した上部に、これらを覆うように、透光性があり着色されたアクリル製の上蓋２４が取り付けられている。
また、フラットチューニングボタン４、モードボタン６、ピッチボタン１０、ディプレイボタン１２の各スイッチには動作状態を示すＬＥＤが内装されている。
【００１８】
表示部１６は、図３に示すように矩形状のプリント基板２６の一方の面上に、複数の点光源体、例えばＬＥＤ２８を所定の間隔(本願実施例では３．０８ミリ)をおいて一列に配置した点光源体群、例えばＬＥＤ群が計１０１個設けられている。これらＬＥＤ２８は、発光部が点発光するチップＬＥＤであって、円弧状に配列されている。これらＬＥＤ２８の発光側の前方に、これらを全て覆うようにカバー、例えばＬＥＤカバー３０がプリント基板２６に取り付けられている。このＬＥＤカバー３０は、光拡散材が無添加である、即ち光拡散材を含んでいない合成樹脂製である。この合成樹脂は、光を透過する無色透明のもので材質は例えばＡＢＳが好ましい。ＬＥＤカバー３０は、ＬＥＤ２８の配列に沿う円弧状に長手方向が形成され、その側面形状は、図４及び図５に示すように、ほぼ半円状に形成されている。このＬＥＤカバー３０の内部は中空であり、この半円の中心が、図４に示すように、各ＬＥＤ２８の中心上に位置している。
【００１９】
プリント基板２６には、図３には示していないが、音名・弦番号インジケータ１８、チューニングガイドインジケータ２２も取り付けられている。図２に示すように、ＬＥＤカバー３０が、本体部２の上面に設けた窓３１内に位置するように、本体部２内にプリント基板２６が配置されている。
【００２０】
図４に示すように、ＬＥＤカバー３０の外表面には、それの半円に沿って複数の凹凸３２が形成され、これら凹凸３２は、ＬＥＤカバー３０の一方の端部から他方の端部まで伸延している。これら凹凸３２は、その側面形状が、ＬＥＤカバー３０の外表面から外方に突出した位置に頂点を持つ概略三角形状を連続的に配置したものである。これら概略三角形状は、ＬＥＤカバー３０の外表面から外方に突出した位置にある頂点と、隣接する概略三角形状とのＬＥＤカバー３０の外表面側での接合点とを、それぞれ丸めたものである。
【００２１】
図５に示すように、これら概略三角形状は、ＬＥＤカバー３０の中心から立てた垂線に対して両側に所定角度の範囲の領域ａでは、上記頂点につながる各辺の長さが全て同じ大きさでかつ等ピッチで配置されている。本願実施例では０．３ミリのピッチで配置されている。なお、本願発明の効果は０．２５〜０．５ミリピッチで配置された場合にもっとも高くなる。領域ａの端（上記垂線から最も離れた位置）にある概略三角形状は、上記垂線と反対側にある辺が、ほぼ平行、例えば上記垂線に対して１度よりもわずかに大きい角度をなしている。
【００２２】
領域ａに隣接して上記垂線と離れてある領域ｂでは、各概略三角形状は、両辺の長さがほぼ等しいが、その両辺のうち上記垂線から離れている側の辺がほぼ垂直、例えば上記垂線に対して１度の角度をなすように等ピッチ、例えば領域ａでのピッチと同じピッチで配置されている。また、この辺は、後述する領域ｃの両辺の長さほどではないが、他方の辺よりも長く設定されている。なお、領域ｂの端（上記垂線から最も離れた位置）の位置は、その位置にある概略三角形状が両辺の長さをほぼ等しくしながら、両辺のうち上記垂線から離れている側の辺をほぼ垂直に配置不可能に近くなる位置である。
【００２３】
領域ｂに隣接して上記垂線と離れてある領域ｃでは、各概略三角形状は、両辺の長さが異なり、その両辺のうち上記垂線から離れている側の辺がほぼ垂直、例えば上記垂線に対して１度の角度をなすように、ピッチを異ならせて配置されている。また、この辺は、他方の辺よりも長く設定されている。また、ピッチは、上記垂線から離れる方向に進むほど、領域ａ、ｂでのピッチよりも徐々に広くなるように設定されている。従って、領域ｃの概略三角形状は、ほぼ垂直に位置する長い辺と、ほぼ水平に位置する短い辺とからなる。
【００２４】
このように各領域ａ、ｂ、ｃの凹凸３２が構成されているので、領域ａの凹凸３２は、図６（ａ）に示すように側面形状が二等辺三角形のものが連続してＬＥＤカバー３２の外表面に存在するものと近似することができる。また、領域ｂの凹凸３２は、同図（ｂ）に示すように、一方の辺がほぼ垂直に位置する二等辺三角形と近似することができる。また、領域ｃの凹凸３２は、同図（ｃ）に示すように長い辺がほぼ垂直に位置し、短い辺がほぼ水平に位置する三角形に近似することができる。
【００２５】
このように構成されたメータ２０では、各ＬＥＤ２８のいずれかが１つが発光すると、その光は種々の方向に放射される。そのうち領域ａに向かった光のうちＬＥＤカバー３０の内面を直進したものは、図６（ａ）に示すように凹凸３２の概略三角形状の２辺に向かう。一般に、ＬＥＤカバー３０の屈折率は、空気の屈折率よりも大きいので、ＬＥＤカバー３０から空気中に出る光の屈折角θは入射角φよりも大きい。従って、領域ａに入射した光は、ほぼ上方に向かう。
【００２６】
領域ｂに向かった光は、ＬＥＤカバー３０の内面を直進したものは、図６（ｂ）に示すように、凹凸３２のほぼ水平な辺に向かうものとほぼ垂直な辺に向かうものとがある。水平な辺に向かったものの大部分は全反射し、ほとんど上方には向かわない。一方、ほぼ垂直な辺に向かった光は、入射角よりも屈折角が大きいので、それぞれ上方に向かう。
【００２７】
領域ｃに向かった光も領域ｂと同様にほぼ水平な辺に向かった光が屈折して上方に向かう。また、ほぼ水平な辺の長さが短いので、ほぼ水平な辺で全反射される光が少なくなり、全体としてほぼ垂直な辺で屈折されて上方に向かう光が多くなる。
【００２８】
また、発光しているＬＥＤ２８の光は、ＬＥＤカバー３０の長手方向にも向かうが、これらの多くが全反射されるので、あまり長手方向に向かいながらＬＥＤカバー３０内に入射する光は少ない。しかも、ＬＥＤカバー２８には拡散材が含まれていないので、ＬＥＤカバー３０内に入射した光も余り拡散しない。
【００２９】
これらの結果、１つのＬＥＤ２８が発光すると、ＬＥＤカバー３０を介して見た光は、ＬＥＤカバー３０の長手方向に対して垂直な線状に見え、更に、本願実施例の調律装置を上側から見たときの視認性が向上する。従って、チューニングに従って、発光させるＬＥＤ２８を順に変更することによって、機械式メータで針が移動する状態を模擬することができる。
【００３０】
上記の実施形態では、凹凸３２は、領域ａ、ｂ、ｃによってそれぞれ異ならせたが、例えばＬＥＤカバー３０をその側面形状が半円よりも小さい円弧状として、領域ａのみを設けることもできる。また、上記の実施形態では、ＬＥＤカバー３０は、長手方向に長い円弧状のものを使用したが、これに限ったものではなく、例えば図７（ａ）乃至（ｄ）に示すように、平面形状が扇形で、両側辺が円弧状となるように、その扇の要から半径方向に沿って円弧状の外方縁部に向かう中途まで徐々に高さ寸法が大きくなり、その中途から円弧状の外方縁部に向かうに従って高さ寸法が短くなるように構成することもできる。この場合、ＬＥＤは、要から円弧状の外方縁部に向かう中途に、外方縁部と同芯の円弧状に配置する。
【００３１】
また、上記の実施形態では、凹凸３２は、ＬＥＤカバー３０の外部に設けたが、ＬＥＤカバー３０の内部に設けても良く、その場合、外部は平坦な半円を描くようにしても良い。この場合、線状に見える光の量は前記実施例とは異なり水平方向に多く光が通過し、垂直方向へ通過する光が少なくなる。結果、この場合、調律装置の前後方向からの視認性がよいものとなる。
【符号の説明】
【００３２】
２８  ＬＥＤ（点光源体）
３０  ＬＥＤカバー（カバー）
３２  凹凸
【図１】
2010175906.tif 000003
【図２】
2010175906.tif 000004
【図３】
2010175906.tif 000005
【図４】
2010175906.tif 000006
【図５】
2010175906.tif 000007
【図６】
2010175906.tif 000008
【図７】
2010175906.tif 000009